【手続補正書】
【提出日】平成28年6月28日(2016.6.28)
【手続補正１】
【補正対象書類名】特許請求の範囲
【補正対象項目名】全文
【補正方法】変更
【補正の内容】
【特許請求の範囲】
【請求項１】
印刷のための所定のデータを印刷装置に送信する端末装置であって、
前記印刷装置と前記端末装置とは異なる外部装置を介さずに前記印刷装置に前記所定のデータを送信するための第１の情報と、前記印刷装置を特定するための第２の情報とを、近距離無線通信により前記印刷装置から取得する取得手段と、
前記取得手段により取得された前記第１の情報に基づく送信が可能である場合、前記近距離無線通信とは異なる通信手段により前記外部装置を介さずに前記所定のデータを前記印刷装置に送信するように、前記第１の情報に基づいて送信制御を行い、前記第１の情報に基づく送信が可能でない場合、前記近距離無線通信とは異なる通信手段により前記外部装置を介して前記印刷装置に対して前記所定のデータを送信するように、前記取得手段により取得された前記第２の情報に基づいて送信制御を行う送信制御手段と、
を有することを特徴とする端末装置。
【請求項２】
前記取得手段により前記第１の情報と前記第２の情報が取得された後に、前記第１の情報に基づく送信が可能であるか判定する判定手段を有し、
前記送信制御手段は、前記判定手段により前記第１の情報に基づく送信が可能であると判定された場合に、前記第１の情報に基づいて送信制御を行い、前記判定手段により前記第１の情報に基づく送信が可能であると判定されなかった場合に、前記第２の情報に基づいて送信制御を行うことを特徴とする請求項１に記載の端末装置。
【請求項３】
前記判定手段は、前記第１の情報に基づいて、前記第１の情報に基づく送信が可能であるか判定することを特徴とする請求項２に記載の端末装置。
【請求項４】
前記第１の情報は、前記近距離無線通信とは異なる通信手段により前記外部装置を介さずに通信することが可能であるか否かを示す情報を含み、
前記判定手段は、当該情報に基づいて前記判定を行うことを特徴とする請求項２または３に記載の端末装置。
【請求項５】
前記第１の情報に基づく送信が可能である場合に用いられる、前記近距離無線通信とは異なる通信手段は、無線ＬＡＮであることを特徴とする請求項１乃至４のいずれか１項に記載の端末装置。
【請求項６】
前記第１の情報に基づく送信が可能である場合に用いられる、前記近距離無線通信とは異なる通信手段は、ＷｉＦｉダイレクトであることを特徴とする請求項５に記載の端末装置。
【請求項７】
前記第１の情報はＳＳＩＤを含み、
前記送信制御手段は、前記取得手段により取得された前記第１の情報に基づく送信が可能である場合、前記ＳＳＩＤに基づいて送信制御を行うことを特徴とする請求項５又は６に記載の端末装置。
【請求項８】
前記第１の情報に基づく送信が可能である場合に用いられる、前記近距離無線通信とは異なる通信手段と、前記第１の情報に基づく送信が可能でない場合に用いられる、前記近距離無線通信とは異なる通信手段は異なることを特徴とする請求項１乃至７のいずれか１項に記載の端末装置。
【請求項９】
前記第１の情報に基づく送信が可能でない場合に用いられる、前記近距離無線通信とは異なる通信手段は、携帯電話回線網を介した通信であることを特徴とする請求項８に記載の端末装置。
【請求項１０】
前記外部装置はサーバであり、前記第２の情報は前記サーバのアドレスを含むことを特徴とする請求項１乃至９のいずれか１項に記載の端末装置。
【請求項１１】
前記近距離無線通信は、ＮＦＣ（Ｎｅａｒ  Ｆｉｅｌｄ  Ｃｏｍｍｕｎｉｃａｔｉｏｎ）であることを特徴とする請求項１乃至１０のいずれか１項に記載の端末装置。
【請求項１２】
印刷のための所定のデータを印刷装置に送信する端末装置による制御方法であって、
前記印刷装置と前記端末装置とは異なる外部装置を介さずに前記印刷装置に前記所定のデータを送信するための第１の情報と、前記印刷装置を特定するための第２の情報とを、近距離無線通信により前記印刷装置から取得する取得工程と、
前記取得工程において取得された前記第１の情報に基づく送信が可能である場合、前記近距離無線通信とは異なる通信手段により前記外部装置を介さずに前記所定のデータを前記印刷装置に送信するように、前記第１の情報に基づいて送信制御を行い、前記第１の情報に基づく送信が可能でない場合、前記近距離無線通信とは異なる通信手段により前記外部装置を介して前記印刷装置に対して前記所定のデータを送信するように、前記取得工程において取得された前記第２の情報に基づいて送信制御を行う送信制御工程と、
を有することを特徴とする制御方法。
【請求項１３】
印刷のための所定のデータを印刷装置に送信する端末装置を、
前記印刷装置と前記端末装置とは異なる外部装置を介さずに前記印刷装置に前記所定のデータを送信するための第１の情報と、前記印刷装置を特定するための第２の情報とを、近距離無線通信により前記印刷装置から取得する取得手段と、
前記取得手段により取得された前記第１の情報に基づく送信が可能である場合、前記近距離無線通信とは異なる通信手段により前記外部装置を介さずに前記所定のデータを前記印刷装置に送信するように、前記第１の情報に基づいて送信制御を行い、前記第１の情報に基づく送信が可能でない場合、前記近距離無線通信とは異なる通信手段により前記外部装置を介して前記印刷装置に対して前記所定のデータを送信するように、前記取得手段により取得された前記第２の情報に基づいて送信制御を行う送信制御手段と、
として機能させるためのプログラム。
【請求項１４】
前記端末装置を、
前記取得手段により前記第１の情報と前記第２の情報が取得された後に、前記第１の情報に基づく送信が可能であるか判定する判定手段として機能させ、
前記送信制御手段は、前記判定手段により前記第１の情報に基づく送信が可能であると判定された場合に、前記第１の情報に基づいて送信制御を行い、前記判定手段により前記第１の情報に基づく送信が可能であると判定されなかった場合に、前記第２の情報に基づいて送信制御を行うことを特徴とする請求項１３に記載のプログラム。
【請求項１５】
前記判定手段は、前記第１の情報に基づいて、前記第１の情報に基づく送信が可能であるか判定することを特徴とする請求項１４に記載のプログラム。
【請求項１６】
前記第１の情報は、前記近距離無線通信とは異なる通信手段により前記外部装置を介さずに通信することが可能であるか否かを示す情報を含み、
前記判定手段は、当該情報に基づいて前記判定を行うことを特徴とする請求項１４または１５に記載のプログラム。
【請求項１７】
前記第１の情報に基づく送信が可能である場合に用いられる、前記近距離無線通信とは異なる通信手段は、無線ＬＡＮであることを特徴とする請求項１３乃至１６のいずれか１項に記載のプログラム。
【請求項１８】
前記第１の情報に基づく送信が可能である場合に用いられる、前記近距離無線通信とは異なる通信手段は、ＷｉＦｉダイレクトであることを特徴とする請求項１７に記載のプログラム。
【請求項１９】
前記第１の情報はＳＳＩＤを含み、
前記送信制御手段は、前記取得手段により取得された前記第１の情報に基づく送信が可能である場合、前記ＳＳＩＤに基づいて送信制御を行うことを特徴とする請求項１７または１８に記載のプログラム。
【請求項２０】
前記第１の情報に基づく送信が可能である場合に用いられる、前記近距離無線通信とは異なる通信手段と、前記第１の情報に基づく送信が可能でない場合に用いられる、前記近距離無線通信とは異なる通信手段は異なることを特徴とする請求項１３乃至１９のいずれか１項に記載のプログラム。
【請求項２１】
前記第１の情報に基づく送信が可能でない場合に用いられる、前記近距離無線通信とは異なる通信手段は、携帯電話回線網を介した通信であることを特徴とする請求項２０に記載のプログラム。
【請求項２２】
前記外部装置はサーバであり、前記第２の情報は前記サーバのアドレスを含むことを特徴とする請求項１３乃至２１のいずれか１項に記載のプログラム。
【請求項２３】
前記近距離無線通信は、ＮＦＣ（Ｎｅａｒ  Ｆｉｅｌｄ  Ｃｏｍｍｕｎｉｃａｔｉｏｎ）であることを特徴とする請求項１３乃至２２のいずれか１項に記載のプログラム。
【手続補正２】
【補正対象書類名】明細書
【補正対象項目名】発明の名称
【補正方法】変更
【補正の内容】
【発明の名称】端末装置、制御方法、およびプログラム
【手続補正３】
【補正対象書類名】明細書
【補正対象項目名】０００１
【補正方法】変更
【補正の内容】
【０００１】
本発明は、印刷のための所定のデータを印刷装置に送信する端末装置に関するものである。
【手続補正４】
【補正対象書類名】明細書
【補正対象項目名】０００９
【補正方法】変更
【補正の内容】
【０００９】
この課題を解決するため、例えば本発明の端末装置は以下の構成を備える。すなわち、
印刷のための所定のデータを印刷装置に送信する端末装置であって、
前記印刷装置と前記端末装置とは異なる外部装置を介さずに前記印刷装置に前記所定のデータを送信するための第１の情報と、前記印刷装置を特定するための第２の情報とを、近距離無線通信により前記印刷装置から取得する取得手段と、
前記取得手段により取得された前記第１の情報に基づく送信が可能である場合、前記近距離無線通信とは異なる通信手段により前記外部装置を介さずに前記所定のデータを前記印刷装置に送信するように、前記第１の情報に基づいて送信制御を行い、前記第１の情報に基づく送信が可能でない場合、前記近距離無線通信とは異なる通信手段により前記外部装置を介して前記印刷装置に対して前記所定のデータを送信するように、前記取得手段により取得された前記第２の情報に基づいて送信制御を行う送信制御手段とを有する。